(57)【要約】【目的】  缶や瓶等に取り付けられた蓋を容易に保持出来て、容易に蓋を開けることが出来る、缶や瓶等に取り付けられた蓋を開けるための蓋オープナーを提供すること。【構成】  缶や瓶等に取り付けられた蓋を開けるための本発明の蓋オープナーは、瓶や缶等に取り付けられた蓋の外周部分に摺接させる筐体を備えた保持部材と、該保持部材を挿通させる位置を自在に操作可能な穴を複数個有する回動部材を備え、複数個の前記保持部材を該回動部材に回動可能に取り付けたことを特徴としている。  蓋オープナーの有する取っ手を掴み、該蓋オープナーの保持部側の面を、例えば、蓋を開けようとする瓶に取り付けられている蓋の上面に接触させて、蓋が開く方向に回転させる。すると、それに連動して、保持部材同士の間隔が狭まり、瓶に取り付けられた蓋の側面を摺接して蓋を保持して、蓋が開く。【選択図】図３
2006327681.tif 000002
【特許請求の範囲】
【請求項１】
瓶や缶等に取り付けられた蓋の外周部分に摺接させる筐体を備えた保持部材と、該保持部材を挿通させる位置を自在に操作可能な穴を複数個有する回動部材を備え、複数個の前記保持部材を該回動部材に回動自在に取り付けたことを特徴とする蓋オープナー。
【請求項２】
前記保持部材は、前記筐体を回転軸に軸支したことを特徴とする請求項１に記載の蓋オープナー。
【請求項３】
前記筐体は、前記回転軸からの距離が一定でない輪郭を持つ略円形の板状であることを特徴とする請求項１及び請求項２に記載の蓋オープナー。
【請求項４】
前記筐体は、瓶や缶等に取り付けられた蓋を傷つけることのない手段が設けられていることを特徴とする請求項１、請求項２及び請求項３に記載の蓋オープナー。
【請求項５】
前記回動部材は、前記保持部材が有する回転軸を挿通させる線条の穴を複数個有する回動基板と、前記保持部材が有する回転軸を挿通させる線条の穴を複数個有する回動体を備え、該回動基板に該回動体が回動自在に軸着されていることを特徴とする請求項１に記載の蓋オープナー。
【請求項６】
前記回動基板が有する線条の穴は、該回動基板の外周付近から中心部付近に向かって形成されていることを特徴とする請求項５に記載の蓋オープナー。
【請求項７】
前記回動体が有する線条の穴は、該回動体の外周付近から中心部付近に向かって形成されていることを特徴とする請求項５に記載の蓋オープナー。
【請求項８】
前記回動体は、外周部分に使用者が保持可能な手段が設けられていることを特徴とする請求項５及び請求項７に記載の蓋オープナー。
【請求項９】
前記回動体は、取っ手を有することを特徴とする請求項５、請求項７及び請求項８に記載の蓋オープナー。
【請求項１０】
前記回動基板は、該回動基板に前記回動体が回動自在に軸着された時に外側になる面が、瓶や缶等に取り付けられた蓋の上面に接触された場合に、滑りにくい手段が設けられていることを特徴とする請求項５及び請求項６に記載の蓋オープナー。
【発明の詳細な説明】
【技術分野】
【０００１】  本発明は、缶や瓶等に取り付けられた蓋を開けるための蓋オープナーに関するものである。
【背景技術】
【０００２】  缶や瓶等に取り付けられた蓋を開けるための蓋オープナーは、一般的に、缶や瓶等に取り付けられた蓋の外周部分に巻き付かせるための帯或はシート等を備えている。そして、缶や瓶等に取り付けられた蓋を開ける作業を行う時、手或は蓋オープナーが有する保持機構と缶や瓶等に取り付けられた蓋の外周部分との間に帯或はシート等を介在させて蓋を保持して、蓋が開く方向に力を加えて、蓋を開ける。この時、缶や瓶等に取り付けられた蓋の外周部分と帯或はシート等との間の摩擦、及び手或は蓋オープナーが有する保持機構と帯或はシート等との間の摩擦が、帯或はシート等を介在させない場合に比較して大きくなることで、蓋が開く方向に掛かる力を加え易くなり、蓋を開ける作業を容易に行える。【０００３】  しかしながら、上記のような蓋オープナーでは、手或は蓋オープナーが有する保持機構と缶や瓶等に取り付けられた蓋の外周部分との間に帯或はシート等を介在させる作業が、容易ではないという問題がある。
【発明の開示】
【発明が解決しようとする課題】
【０００４】  本発明は、上記問題に鑑みてなされたもので、缶や瓶等に取り付けられた蓋を容易に保持出来て、容易に蓋を開けることが出来る、缶や瓶等に取り付けられた蓋を開けるための蓋オープナーを提供することを課題とする。
【課題を解決するための手段】
【０００５】  上記課題を解決するために、缶や瓶等に取り付けられた蓋を開けるための本発明の蓋オープナーは、瓶や缶等に取り付けられた蓋の外周部分に摺接させる筐体を備えた保持部材と、該保持部材を挿通させる位置を自在に操作可能な穴を複数個有する回動部材を備え、複数個の前記保持部材を該回動部材に回動可能に取り付けたことを特徴としている。【０００６】  そして、前記保持部材は、前記筐体を回転軸に軸支したことを特徴としている。【０００７】  前記筐体は、前記回転軸からの距離が一定でない輪郭を持つ略円形の板状であることが好ましい。【０００８】  そして、前記筐体は、瓶や缶等に取り付けられた蓋を傷つけることのない手段が設けられていることが好ましい。【０００９】  前記回動部材は、前記保持部材が有する回転軸を挿通させる線条の穴を複数個有する回動基板と、前記保持部材が有する回転軸を挿通させる線条の穴を複数個有する回動体を備え、該回動基板に該回動体が回動自在に軸着されていることを特徴としている。【００１０】  前記回動基板が有する線条の穴は、該回動基板の外周付近から中心部付近に向かって形成されていることを特徴としている。【００１１】  前記回動体が有する線条の穴は、該回動体の外周付近から中心部付近に向かって形成されていることを特徴としている。【００１２】  そして、前記回動体は、外周部分に使用者が保持可能な手段が設けられていることが好ましい。【００１３】  また、前記回動体は、取っ手を有することが好ましい。【００１４】  なお、前記回動基板は、該回動基板に前記回動体が回動自在に軸着された時に外側になる面が、瓶や缶等に取り付けられた蓋の上面に接触された場合に、滑りにくい手段が設けられていることが好ましい。
【発明の効果】
【００１５】  瓶及び缶等に取り付けられた蓋を開ける本発明の蓋オープナーは、瓶や缶等に取り付けられた蓋の外周部分に摺接させる筐体を備えた保持部材と、該保持部材を挿通させる位置を自在に操作可能な穴を複数個有する回動部材を備え、複数個の前記保持部材を該回動部材に回動自在に取り付けているため、保持部材の位置を瓶及び缶等に取り付けられた蓋の大きさに合わせて変えることができ、様々な大きさの蓋を保持して、さらに、回動部材を操作することで容易に蓋を開けることができる。【００１６】  前記保持部材は、前記筐体を回転軸に軸支しているため、前記回動部材に回動自在に取り付けることができ、ひいては、保持部材の位置を瓶及び缶等に取り付けられた蓋の大きさに合わせて変えることができ、様々な大きさの蓋を保持できる。【００１７】  前記筐体は、前記回転軸からの距離が一定でない輪郭を持つ略円形の板状に成形することで、瓶及び缶等に取り付けられた蓋を確実に保持することができる。【００１８】  そして、前記筐体は、瓶や缶等に取り付けられた蓋を傷つけることのない手段を設けられることで、瓶及び缶等に取り付けられた蓋を傷つけることがない。【００１９】  前記回動部材は、前記保持部材が有する回転軸を挿通させる線条の穴を複数個有する回動基板と、前記保持部材が有する回転軸を挿通させる線条の穴を複数個有する回動体を備え、該回動基板に該回動体が回動自在に軸着されているため、該回動基板に対して該回動体を回転させて相対的な位置を変化させることで、該回動基板が有する線条の穴と該回動体が有する線条の穴が交差することによって作られる前記保持部材が挿通される穴の位置を変えることができる。【００２０】  前記回動基板が有する線条の穴は、該回動基板の外周付近から中心部付近に向かって形成されているため、回動部材において、該回動基板に対して前記回動体を回転させて相対的な位置を変化させることで、該回動基板が有する線条の穴と該回動体が有する線条の穴が交差することによって作られる前記保持部材が挿通される穴の位置を該回動基板の外周付近から中心部付近の範囲で変えることができる。【００２１】  前記回動体が有する線条の穴は、該回動体の外周付近から中心部付近に向かって形成されているため、回動部材において、前記回動基板に対して該回動体を回転させて相対的な位置を変化させることで、該回動基板が有する線条の穴と該回動体が有する線条の穴が交差することによって作られる前記保持部材が挿通される穴の位置を該回動体の外周付近から中心部付近の範囲で変えることができる。【００２２】  そして、前記回動体は、外周部分に使用者が保持可能な手段が設けられているため、本発明の蓋オープナーにおいて、容易に操作できる。【００２３】  また、前記回動体は、取っ手を有することで、蓋を開けるとき、使用者の操作負担を軽減できる。【００２４】  なお、前記回動基板は、該回動基板に前記回動体が回動自在に軸着された時に外側になる面が、瓶や缶等に取り付けられた蓋の上面に接触された場合に、滑りにくい手段が設けられているため、本発明の蓋オープナーにおいて、確実に蓋を保持して蓋を開けることが出来る。
【発明を実施するための最良の形態】
【００２５】  本発明にかかる瓶や缶等に取り付けられた蓋を開ける蓋オープナーは、蓋の外周部分に摺接させる筐体を備えた保持部材と、該保持部材を挿通させて回動自在に取り付ける位置を自在に操作可能な穴を複数個有する回動部材を有する。【００２６】  保持部材は、樹脂や金属等の硬質な素材で、部分毎に個別に成型した後に組み立てることによって、所定の形状に形成することができる。該保持部材は、開けようとしている瓶等に取り付けられた蓋の外周部分に摺接させる筐体を回転軸に軸支した形状に形成される。該筐体は、これのみで成型した後に接着やねじによる接合等の手段で該回転軸に固定することも出来るし、回転軸と一体成型することも出来る。また、該筐体は、蓋を確実に保持することができるように、回転軸からの距離が一定でない輪郭を持つ略円形の板状に形成するのが好ましい。さらに、該筐体は、瓶や缶等に取り付けられた蓋に接する部分に、蓋を傷つけることのないように、ゴム等のやわらかい素材を取り付けるのが好ましい。【００２７】  回動部材は、樹脂や金属等の硬質な素材で、部分毎に個別に成型した後に組み立てることによって、所定の形状に形成することができる。該回動部材は、回動基板に回動体を回動自在に軸着した形状に形成する。該回動基板は中心に取り付け穴を有する円形の板状に形成するのが好ましく、該回動基板の外周付近から中心部付近に向かう線条の穴が複数個形成されている。該線条の穴は、該回動基板の中心からの軌跡の距離が、単位中心角当たり、一定の距離だけ小さくなる等、規則的に形成するのが好ましい。また、該回動基板は、該回動基板に前記回動体が回動自在に軸着された時に外側になる面が、瓶や缶等に取り付けられた蓋の上面に接触された時、滑りにくい形状に形成されることが好ましい。例えば、該面に摩擦係数が大きいゴム等を貼り付けたり、該面を摩擦係数が大きくなるように加工する。前記回動体は、中心に取り付け穴を有する円形の板状に形成するのが好ましく、該回動体の外周付近から中心部付近に向かう線条の穴が複数個形成されている。なお、該回動体の直径は、前記回動基板の直径とほぼ同じにするのが好ましい。そして、該回動体は、外周部分に使用者が把持可能な把持部を設けられることが好ましい。該把持部は、波を打っているような形状にしたり、溝を形成したりして、使用者が把持しやすく形成する。該把持部は、これのみで成型した後に接着やねじによる接合等の手段で該回動体に固定することも出来るし、回動体と一体成型することも出来る。また、該回動体は、取っ手を設けることが好ましい。該取っ手は、これのみで成型した後に接着やねじによる接合等の手段で該回動体に固定することも出来るし、回動体と一体成型することも出来る。本発明の蓋オープナーは、取っ手を有することで、瓶等に取り付けられた蓋を開けるとき、使用者の操作負担が軽減される。前記回動基板と前記回動体を、各々が有する中心に位置する取り付け穴を合わせて、重ね合わせて、該取り付け穴が回動中心となるように、回動自在に軸着させている。軸着の手段は、例えば、略円柱状の棒を前記取り付け穴に挿通させて、該棒の先端に留め具を接着する。なお、回動部材において、前記回動基板に形成された線条の穴と、前記回動体に形成された線条の穴は、各々交差するとき、ほぼ直交するように形成されているのが好ましい。こうすることで、本発明の蓋オープナーにおいて、瓶等に取り付けられた蓋を確実に保持して、蓋を開けることが出来る。【００２８】  そして、適切な個数の保持部材を、該保持部材が有する回転軸を前記回動部材の構成要素である前記回動基板に形成された線条の穴と前記回動体に形成された線条の穴が一本一本交差することで作られた穴に挿通させて、回動自在に取り付ける。取り付ける手段は、例えば、前記回転軸の先端に該回転軸の断面積よりも広い板状に形成された留め具を接着する。【００２９】  なお、最後に、前記回動体に内部を保護するためのカバーを取り付けることが好ましい。
【実施例１】
【００３０】  本発明の実施例を図面により説明する。図１は、本発明の実施例の構成要素である回動基板を示す正面図である。回動基板１は中心にピンを挿通させて回動中心となる取り付け穴２を有する、円形の板に成型されている。さらに、３本の線条の穴３が等間隔に該回動基板１の外周付近から中心部付近に向かって反時計回りに形成されている。【００３１】  図２は、本発明の実施例の構成要素である回動体を示す正面図である。回動体４は、中心にピンを挿通させて回動中心となる取り付け穴５を有する、円形の板に成型されている。回動体４の直径は、回動基板１とほぼ同じに形成されている。さらに、３本の線条の穴６が等間隔に該回動体４の外周付近から中心部付近に向かって時計回りに形成されている。これら３本の線条の穴６は、裏面から見ると、回動基板１に形成されている３本の線条の穴３と同じに形成されている。【００３２】  図３は、本発明の実施例を示す蓋オープナーの分解斜視図である。蓋オープナー１は、瓶や缶等に取り付けられた蓋の外周部分に摺接させる筐体８を備えた保持部材９と、該保持部材９を挿通させる位置を自在に操作可能な穴を複数個有する回動部材１０を有している。保持部材９は、前記筐体８と回転軸１１に軸支した形状に一体成型されている。また、筐体８は、回転軸１１からの距離が一定でない輪郭を持つ略円形の板状に形成されている。さらに、筐体８の側面には、瓶や缶等に取り付けられた蓋を傷つけることのないように、ゴム１２が接着されている。【００３３】  回動部材１０は、図１を用いて上述した回動基板１と、図２を用いて上述した回動体４とで構成されている。該回動基板１の中心に形成されている取り付け穴２と該回動体４の中心に形成されている取り付け穴５とを合わせて、該回動基板１と該回動体４を重ね合わせて、取り付け穴２及び５に略円柱状のピン１３を挿通して、該ピン１３の先端を留め具１４で接着させている。こうして、回動基板１と回動体４が互いに回動自在に形成される。前記回動基板１は、該回動基板１に前記回動体４が回動自在に軸着された時に外側になる面に、ゴム１５が貼り付けられている。ここで、該ゴム１５は、回動基板１の穴を塞ぐことがないように貼り付けられている。前記回動体４は、外周部分に使用者が保持可能な側面１６が一体成型されている。さらに、取っ手１７が該側面１６に接着されている。【００３４】  そして、３個の保持部材９を、各々、保持部材９が有する回転軸１１を前記回動部材１０の構成要素である前記回動基板１に形成された線条の穴３と前記回動体４に形成された線条の穴６が一本一本交差することで作られた穴に挿通させて、前記回転軸１１の先端に該回転軸１１の断面積よりも広い板状に形成された留め具１８を接着している。これによって、保持部材９が回動部材１０に回動自在に取り付けられる。【００３５】  なお、最後に、前記回動体４に内部を保護するためのカバー１９を冠着させている。【００３６】  図４は本発明の蓋オープナーの使用説明図である。
蓋オープナー７の有する取っ手１７を掴み、該蓋オープナー７の保持部側の面を、例えば、蓋を開けようとする瓶に取り付けられている蓋の上面に接触させて、蓋が開く方向、一般的に反時計回りに回転させる。すると、それに連動して、保持部材９同士の間隔が狭まり、瓶に取り付けられた蓋の側面を摺接して蓋を保持して、蓋が開く。
【図面の簡単な説明】
【００３７】
【図１】本発明の実施例の構成要素（回動基板）を示す正面図。
【図２】本発明の実施例の構成要素（回動体）を示す正面図。
【図３】本発明の実施例を示す蓋オープナーの分解斜視図。
【図４】本発明の使用説明図。
【符号の説明】
【００３８】  １    回動基板
２    取り付け穴
３    線条の穴
４    回動体
５    取り付け穴
６    線条の穴
７    蓋オープナー
８    筐体
９    保持部材
１０  回動部材
１１  回転軸
１２  ゴム
１３  ピン
１４  留め具
１５  ゴム
１６  側面
１７  取っ手
１８  留め具
１９  カバー
【図１】
2006327681.tif 000003
【図２】
2006327681.tif 000004
【図３】
2006327681.tif 000005
【図４】
2006327681.tif 000006